【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
第１の基材から第２の基材へ画像を転写するための画像転写ローラ（ＩＴＲ）であって、
第１の長手方向の端と第２の長手方向の端とを含むシャフトと、
前記シャフトの全て、または一部を覆うエラストマ材料であって、前記エラストマ材料の外面は略二次のクラウンプロファイルを有するように適合化されるエラストマ材料とを備え、
前記画像転写ローラは、前記第１の基材から前記第２の基材への画像転送のためにニップに渡って均一な画像転送電界を発生することと機能的に関連づけられ、前記ニップは、第１の力を前記第１の長手方向の端へ、かつ第２の力を前記第２の長手方向の端へ加えることにより前記エラストマ材料を前記第１及び第２の基材の一方へ長手方向に係合することに関連づけられ、前記第１及び第２の力は前記ニップに対して略直交し、かつ前記第１及び第２の力は、前記長手方向の接触圧力プロファイルが前記エラストマ材料の中心を軸として対称性であることを保証するためにもう一方の端に対して適切に平衡化され、
Ｄmaxは前記エラストマ材料の外面において決定される前記ＩＴＲの最大直径を表し、前記エラストマ材料の前記外面は台形プロファイルを有するように適合化され、前記台形プロファイルは振幅Ｃのクラウンと、長手方向幅Ｌ1のクラウンと、前記エラストマ材料の第１の長手方向の端からクラウンへ延びかつ長手方向幅Ｌ0を前記エラストマ材料の前記第１の長手方向の端から前記クラウンへ延ばす第１のランプと、前記エラストマ材料の第２の長手方向の端からクラウンへ延びかつ長手方向幅Ｌ0を前記エラストマ材料の前記第２の長手方向の端からクラウンへ延ばす第２のランプとを含み、Ｌは前記第１のランプの長手方向幅Ｌ0と、前記第２のランプの長手方向幅Ｌ0と、前記クラウンの前記長手方向幅Ｌ1との合計を表し、Ｌ0／Ｌは０．３３に略等しい、画像転写ローラ（ＩＴＲ）。
【請求項２】
Ｃは１００μｍから５００μｍまでの範囲内であり、Ｌは２６０ｍｍから４０１ｍｍまでの範囲内であり、かつＤmaxは１０ｍｍから４０ｍｍまでの範囲内である、請求項１に記載の画像転写ローラ（ＩＴＲ）。
【請求項３】
前記第１の基材は感光体ドラム、感光体ベルト、中間画像転写ドラム及び中間画像転写ベルトのうちの１つであり、かつ前記第２の基材は中間画像転写ベルト、中間画像転写ドラム及び媒体シートのうちの１つである、請求項１に記載の画像転写ローラ（ＩＴＲ）。
【請求項４】
前記第１の基材は感光体ドラムであり、前記第２の基材は中間画像転写ベルトであり、かつ前記画像は電子写真プロセスを使用して前記感光体ドラム上へ現像される、請求項１に記載の画像転写ローラ（ＩＴＲ）。
【請求項５】
画像マーキングデバイスであって、
感光体ドラムと、
前記感光体ドラムと機能的に関連づけられかつ前記感光体ドラム上へ静電画像を形成するように構成される露光ステーションと、
前記感光体ドラムと機能的に関連づけられかつ前記静電画像をトナー材料で現像するように構成される現像剤システムと、
前記感光体ドラムと機能的に関連づけられる中間画像転写ベルトと、
前記現像された静電画像の前記感光体ドラムから前記中間画像転写ベルトへの転送と機能的に関連づけられる画像転写ローラ（ＩＴＲ）とを備え、前記ＩＴＲは、
第１の長手方向の端と第２の長手方向の端とを含むシャフトと、
前記シャフトの全て、または一部を覆うエラストマ材料であって、前記エラストマ材料の外面は略二次のクラウンプロファイルを有するように適合化されるエラストマ材料とを備え、
前記画像転写ローラは、前記現像された画像を前記感光体ドラムから前記中間画像転写ベルトへ転送するためにニップに渡って均一な画像転送電界を発生することと機能的に関連づけられ、前記ニップは、第１の力を前記第１の長手方向の端へ、かつ第２の力を前記第２の長手方向の端へ加えることによる前記エラストマ材料と前記中間画像転写ベルト及び前記感光体ドラムのうちの一方との長手方向の係合に関連づけられ、前記第１及び第２の力はニップに対して略直交し、かつ前記第１及び第２の力は、前記長手方向の接触圧力プロファイルが前記エラストマ材料の中心を軸として対称性であることを保証するためにもう一方の端に対して適切に平衡化され、
Ｄmaxは前記エラストマ材料の前記外面において決定される前記ＩＴＲの最大直径を表し、前記エラストマ材料の前記外面は台形プロファイルを有するように適合化され、前記台形プロファイルは振幅Ｃのクラウンと、長手方向幅Ｌ1のクラウンと、前記エラストマ材料の第１の長手方向の端から前記クラウンへ延びかつ長手方向幅Ｌ0を前記エラストマ材料の前記第１の長手方向の端から前記クラウンへ延ばす第１のランプと、前記エラストマ材料の第２の長手方向の端から前記クラウンへ延びかつ長手方向幅Ｌ0を前記エラストマ材料の前記第２の長手方向の端から前記クラウンへ延ばす第２のランプとを含み、Ｌは前記第１のランプの長手方向幅Ｌ0と、前記第２のランプの長手方向幅Ｌ0と、前記クラウンの長手方向幅Ｌ1との合計を表し、Ｌ0／Ｌは０．３３に略等しい、画像マーキングデバイス。
【請求項６】
Ｃは１００μｍから５００μｍまでの範囲内であり、Ｌは２６０ｍｍから４０１ｍｍまでの範囲内であり、かつＤmaxは１０ｍｍから４０ｍｍまでの範囲内である、請求項５に記載の画像マーキングデバイス。
【請求項７】
画像マーキング装置であって、
中間画像転写ベルトと、
前記中間画像転写ベルトへの画像の転送と機能的に関連づけられる複数の画像マーキングデバイスであって、各々が別個のトナー材料着色剤に関連づけられる複数の画像マーキングデバイスと、
前記中間画像転写ベルトから媒体基材への画像の転送と機能的に関連づけられる画像転写ステーションとを備え、
各画像マーキングデバイスは、
感光体ドラムと、
前記感光体ドラムと機能的に関連づけられかつ前記感光体ドラム上へ静電画像を形成するように構成される露光ステーションと、
前記感光体ドラムと機能的に関連づけられかつ前記静電画像をトナー材料で現像するように構成される現像剤システムと、
前記現像された静電画像の前記感光体ドラムから前記中間画像転写ベルトへの転送と機能的に関連づけられる画像転写ローラ（ＩＴＲ）とを備え、前記ＩＴＲは、
第１の長手方向の端と第２の長手方向の端とを含むシャフトと、
前記シャフトの全て、または一部を覆うエラストマ材料であって、前記エラストマ材料の外面は略二次のクラウンプロファイルを有するように適合化されるエラストマ材料とを備え、
前記画像転写ローラは、前記現像された画像を前記感光体ドラムから前記中間画像転写ベルトへ転送するためにニップに渡って均一な画像転送電界を発生することと機能的に関連づけられ、前記ニップは、第１の力を前記第１の長手方向の端へ、かつ第２の力を前記第２の長手方向の端へ加えることによる前記エラストマ材料と前記中間画像転写ベルト及び前記感光体ドラムのうちの一方との長手方向の係合に関連づけられ、前記第１及び第２の力はニップに対して略直交し、かつ前記第１及び第２の力は、前記長手方向の接触圧力プロファイルが前記エラストマ材料の中心を軸として対称性であることを保証するためにもう一方の端に対して適切に平衡化され、
Ｄmaxは前記エラストマ材料の前記外面において決定される前記ＩＴＲの最大直径を表し、前記エラストマ材料の前記外面は台形プロファイルを有するように適合化され、前記台形プロファイルは振幅Ｃのクラウンと、長手方向幅Ｌ1のクラウンと、前記エラストマ材料の第１の長手方向の端から前記クラウンへ延びかつ長手方向幅Ｌ0を前記エラストマ材料の前記第１の長手方向の端から前記クラウンへ延ばす第１のランプと、前記エラストマ材料の第２の長手方向の端から前記クラウンへ延びかつ長手方向幅Ｌ0を前記エラストマ材料の前記第２の長手方向の端から前記クラウンへ延ばす第２のランプとを含み、Ｌは前記第１のランプの長手方向幅Ｌ0と、前記第２のランプの長手方向幅Ｌ0と、前記クラウンの長手方向幅Ｌ1との合計を表し、Ｌ0／Ｌは０．３３に略等しい、画像マーキング装置。